(57)【特許請求の範囲】
【請求項１】
軸部に沿って上下に貫通する挿通孔を有し、上部を角型の頭部とし、下部を円柱状の胴部とした工具主体を形成し、
前記工具主体の胴部外周部に、撤去せんとするスクリュー形の地中アンカーの、螺旋状の掘削刃の回転直径より大きな回転直径を有する、螺旋状の掘削刃を一体的に付設したこと
を特徴とする地中アンカーの掘削工具。
【請求項２】
軸部に沿って上下に貫通する挿通孔を有し、上部を角型の頭部とし、下部を円柱状の胴部とした工具主体を形成し、
前記工具主体の胴部外周部に、撤去せんとするスクリュー形の地中アンカーの、螺旋状の掘削刃の回転直径と同等以上の回転直径を有する螺旋状の掘削刃を一体的に付設し、
前記螺旋状に付設された上方の掘削刃と下方の掘削刃の外周縁部下面に、それぞれ土切り刃を、前記掘削刃の外周縁部から突出させるようにして相対配置させたこと
を特徴とする地中アンカーの掘削工具。
【請求項３】
前記スクリュー形の地中アンカーは、
上面中心部に係合孔を開口させた角型の頭部の下部に、円柱状の胴部を一体的に連設するとともに、前記胴部の先端部をドリル部とし、このドリル部と前記頭部下部との胴部外周部に螺旋状の掘削刃を一体的に付設し、前記頭部の係合孔は、上端部に支線連結金具が着脱自在に装着される支線杆の係合に用いられるものであること
を特徴とする請求項１又は２に記載の地中アンカーの掘削工具。
【請求項４】
前記土切り刃は、
上縁部が前記掘削刃の外周部下面に一体的に固着されている、断面山型の取付金具の開口部に装着される板状体からなるもので、この土切り刃と前記取付金具とは、帯状の補強板によって連結されていること
を特徴とする請求項２に記載の地中アンカーの掘削工具。
【請求項５】
地中に埋設され、地中アンカーとして用いられていたスクリュー形の地中アンカーを撤去する方法であって、
前記地中アンカーの螺旋状の掘削刃より大きな回転直径を有する、螺旋状の掘削刃を有するとともに、中心部に上下に貫通する挿通孔を有する掘削工具を用い、
この掘削工具の挿通孔に、前記地中アンカーの支線杆を貫通させ、前記支線杆をガイドとして回転下降させながら、前記支線杆周囲の固化した土壌を破砕したのち、地中アンカーを引抜くこと
を特徴とした地中アンカーの撤去方法。
【請求項６】
地中に埋設され、地中アンカーとして用いられていたスクリュー形の地中アンカーを撤去する方法であって、
前記地中アンカーの螺旋状の掘削刃より大きな回転直径を有する、螺旋状の掘削刃を有するとともに、中心部に上下に貫通する挿通孔を有する掘削工具を用い、
この掘削工具の挿通孔に、前記地中アンカーの支線杆を貫通させ、前記支線杆をガイドとして回転下降させながら、
前記螺旋状に付設された上方の掘削刃と下方の掘削刃の外周縁部下面に、それぞれ前記掘削刃の外周縁部から突出させるようにして相対配置された土切り刃によって、前記支線杆周囲の固化した土壌を破砕したのち、地中アンカーを引抜くこと
を特徴とした地中アンカーの撤去方法。
【請求項７】
前記掘削工具は、
軸部に沿って上下に貫通する挿通孔を有し、上部を角型の頭部とし、下部を円柱状の胴部とした工具主体を形成し、
前記工具主体の胴部外周部に、撤去せんとするスクリュー形の地中アンカーの、螺旋状の掘削刃の回転直径と同等以上の回転直径を有する螺旋状の掘削刃が一体的に付設されたものであること
を特徴とする請求項５又は６に記載の地中アンカーの撤去方法。
【請求項８】
前記掘削工具は、
前記角型の頭部に係合させたガイドパイプの回転と同時に回転するものであること
を特徴とする請求項５〜７のいずれかに記載の地中アンカーの撤去方法。
【請求項９】
前記掘削工具は、
先端部が前記地中アンカーに到達した時点で回転を停止させ、支線杆の上端部を上方に引抜くことによって、地中アンカーと一緒に地中から撤去されること
を特徴とする請求項５〜８のいずれかに記載の地中アンカーの撤去方法。
【請求項１０】
地中に埋設され、地中アンカーとして用いられていたスクリュー形の地中アンカーを撤去する方法であって、
前記地中アンカーの螺旋状の掘削刃と同等以上の回転直径を有する、螺旋状の掘削刃を有する掘削工具を用い、
地表面に顕出する、前記地中アンカーの支線杆の上端部から支線連結部材を取外し、
前記支線杆の上端部を、掘削工具に上下方向に貫通させて形成した挿通孔に係合させるとともに、掘削工具の頭部にガイドパイプの先端部を係合させ、
前記ガイドパイプを回転させ、前記支線杆をガイドとして前記掘削工具を回転下降させながら、掘削工具に設けられた螺旋状の掘削刃に付設された土切り板によって、前記支線杆周囲の固化した土壌を破砕したのち、
前記ガイドパイプと掘削工具を一緒に引抜き、ついで前記地中アンカーを引抜くか、前記ガイドパイプを引抜いたのち、前記地中アンカーを掘削工具と一緒に引抜くこと
を特徴とする地中アンカーの撤去方法。
【発明の詳細な説明】
【技術分野】
【０００１】
この発明は、配電経路に配置される電柱を支持するための地中アンカーを撤去するために使用される地中アンカーの掘削工具と、この地中アンカーの掘削工具を使用した地中アンカーの撤去方法に関するものである。
【背景技術】
【０００２】
例えば、電柱の支線を支持するためのアンカーの一つに、特開２０００−１８５０号公報（特許文献１）に開示されるスクリュータイプの地中アンカーがある。
この地中アンカーは、地中に埋設される支持棒（アンカー本体）の下端先端部にドリルを有するとともに、その上部外周部に間歇的に螺旋状掘削刃が形成されたもので、その上端部には、鍔部を介して支線連結用のアイボルトと称される支線連結金具を一体的に設けた、スクリュー形の地中アンカーがある。
なお、前記鍔部は、螺旋状掘削刃の回転によって排出される排出土を抑え、無排出工法の効果をより高めるためのものである。
【０００３】
このスクリュー形の地中アンカーは、建柱車に付設されたオーガを使用して設置したい部位に地中アンカーを埋設するための下穴を掘削することなく、地中アンカーに付設された螺旋状掘削刃で下穴を掘削しながら埋設することができるので、多くの現場で使用されている。
【０００４】
しかしながら、前記地中アンカーは、アンカー本体に付設された前記の螺旋状掘削刃によって、地面の所要部位を掘削しながら地中アンカーを所定の深度に埋設することができるものの、前記螺旋状掘削刃には、アンカー本体を地表面側に引上げる方向に作用させることができないものであった。
【０００５】
したがって、埋設された地中アンカーの除去に際しては、埋設されている部位を所定の深度まで掘削して取り除く以外には有効な手段がなかった。
【０００６】
かかる現状に鑑み、特開２００１−２７１３４５号公報（特許文献２）では、埋設に失敗した地中アンカーを引抜くこともできる地中アンカー用施工工具が提案されている。
この地中アンカー用施工工具は、全体形状が棒状体を呈し、その棒状体の一端側に前記地中アンカー本体を、その螺旋状掘削刃の設けられている先端側と反対側に設けられている角柱部に着脱自在に嵌合する嵌合部が設けられている。
また、前記棒状体の他端側に回転機械への装着部が設けられるとともに、棒状体の内部には、前記地中アンカー本体の角柱部の端部に設けられている支線棒を収納できる空間が形成され、その空間に収納された支線棒の先端部に設けられているリングを、その棒状体に連結する連結機構が設けられたものである。
【０００７】
この施工工具を用いて地中アンカー本体を地中に埋設するには、先ず、施工工具を構成する棒状体の装着部にオーガの挿入口を挿入する。
その際、脱落防止のために、オーガに先端に設けられている貫通孔及び装着部に設けられている貫通孔にボルトを挿入しナットで固定される。
ついで、棒状体の空間に地中アンカー本体の支線棒を挿入し、角穴に地中アンカー本体の角柱部を嵌合し、棒状体に設けられている貫通孔にボルトを挿入するとともに、そのボルトにナットを螺合し、支線棒と棒状体とを連結する。
しかるのち、前記オーガを、押圧状態を保ちながら回転させ、螺旋状掘削刃及び補助螺旋状掘削刃によって地面を掘削し、地中アンカー本体を地中に埋設する。
【０００８】
地中アンカー本体を所定深度に埋設した後、ナットを外してボルトを棒状体から抜いてオーガを上方へ移動させると、棒状体は地中アンカー本体１から外れて、地中アンカー本体及び支線棒は、地中に埋設された状態に保たれる。
その後、支線棒には、ワイヤが取付けられて電柱等が支持される。
【０００９】
その後、何らかに理由によって、一旦、埋設された地中アンカー本体を引抜く必要が生じたときは、ボルトを外すことなくオーガを逆回転させながら引抜くと、地中アンカー本体も地中から引抜かれる。
したがって、今までのように、地中アンカー本体を地中に放置する必要がなくなるとともに、その引抜いた地中アンカー本体を再使用することができる、というものである。
【特許文献１】特開２０００−    １８５０号公報（特許請求の範囲、図１）
【特許文献２】特開２００１−２７１３４５号公報（特許請求の範囲、図２）
【発明の開示】
【発明が解決しようとする課題】
【００１０】
前記の特許文献２に記載の施工工具は、地中アンカーを簡単に埋設することができるとともに、簡単に引抜くこともできるとされている。
しかしながら、引抜ける場合には、施工途中のものに限定されるもので、完全に埋設されている地中アンカーを対象とするものではない。
事実、完全に埋設された地中アンカーを引抜く手段については、なんら開示も示唆もされていない。
したがって、埋設された地中アンカーを引抜く場合には、従前と同様に機械を使用して地中を掘り起こして除去する以外に手段がないものである。
【００１１】
この発明はかかる現状に鑑み、地盤に埋設されている地中アンカーを、掘り出すのに必要な最少限度の土壌を掘削するだけで、簡単かつ確実に、しかも効率的に撤去することのできる地中アンカーの掘削工具と、この地中アンカーの掘削工具を使用した地中アンカーの撤去方法を提供せんとするものである。
特に、この発明は、地盤に埋め込まれているスクリュー形の地中アンカーに設けられている支線杆を利用して、この支線杆の周囲の固化した土壌を破砕して、埋設された地中アンカーを撤去せんとするものである。
【課題を解決するための手段】
【００１２】
前記目的を達成するため、この発明の請求項１に記載の発明は、
軸部に沿って上下に貫通する挿通孔を有し、上部を角型の頭部とし、下部を円柱状の胴部とした工具主体を形成し、
前記工具主体の胴部外周部に、除去せんとするスクリュー形の地中アンカーの、螺旋状の掘削刃の回転直径より大きな回転直径を有する、螺旋状の掘削刃を一体的に付設したこと
を特徴とする地中アンカーの掘削工具である。
【００１３】
また、この発明の請求項２に記載の発明は、
軸部に沿って上下に貫通する挿通孔を有し、上部を角型の頭部とし、下部を円柱状の胴部とした工具主体を形成し、
前記工具主体の胴部外周部に、撤去せんとするスクリュー形の地中アンカーの、螺旋状の掘削刃の回転直径と同等以上の回転直径を有する螺旋状の掘削刃を一体的に付設し、
前記螺旋状に付設された上方の掘削刃と下方の掘削刃の外周縁部下面に、それぞれ土切り刃を、前記掘削刃の外周縁部から突出させるようにして相対配置させたこと
を特徴とする地中アンカーの掘削工具である。
【００１４】
また、この発明の請求項３に記載の発明は、
請求項１又は２に記載の地中アンカーの掘削工具において、
前記スクリュー形の地中アンカーは、
上面中心部に係合孔を開口させた角型の頭部の下部に、円柱状の胴部を一体的に連設するとともに、前記胴部の先端部をドリル部とし、このドリル部と前記頭部下部との胴部外周部に螺旋状の掘削刃を一体的に付設し、前記頭部の係合孔は、上端部に支線連結金具が着脱自在に装着される支線杆の係合に用いられるものであること
を特徴とするものである。
【００１５】
また、この発明の請求項４に記載の発明は、
請求項２に記載の地中アンカーの掘削工具において、
前記土切り刃は、
上縁部が前記掘削刃の外周部下面に一体的に固着されている、断面山型の取付金具の開口部に装着される板状体からなるもので、この土切り刃と前記取付金具とは、帯状の補強板によって連結されていること
を特徴とするものである。
【００１６】
さらに、この発明の請求項５に記載の発明は、
地中に埋設され、地中アンカーとして用いられていたスクリュー形の地中アンカーを撤去する方法であって、
前記地中アンカーの螺旋状の掘削刃より大きな回転直径を有する、螺旋状の掘削刃を有するとともに、中心部に上下に貫通する挿通孔を有する掘削工具を用い、
この掘削工具の挿通孔に、前記地中アンカーの支線杆を貫通させ、前記支線杆をガイドとして回転下降させながら、前記支線杆周囲の固化した土壌を破砕したのち、地中アンカーを引抜くこと
を特徴とした地中アンカーの撤去方法である。
【００１７】
また、この発明の請求項６に記載の発明は、
地中に埋設され、地中アンカーとして用いられていたスクリュー形の地中アンカーを撤去する方法であって、
前記地中アンカーの螺旋状の掘削刃より大きな回転直径を有する、螺旋状の掘削刃を有するとともに、中心部に上下に貫通する挿通孔を有する掘削工具を用い、
この掘削工具の挿通孔に、前記地中アンカーの支線杆を貫通させ、前記支線杆をガイドとして回転下降させながら、
前記螺旋状に付設された上方の掘削刃と下方の掘削刃の外周縁部下面に、それぞれ前記掘削刃の外周縁部から突出させるようにして相対配置された土切り刃によって、前記支線杆周囲の固化した土壌を破砕したのち、地中アンカーを引抜くこと
を特徴とした地中アンカーの撤去方法である。
【００１８】
また、この発明の請求項７に記載の発明は、
請求項５又は６に記載の地中アンカーの撤去方法において、
前記掘削工具は、
軸部に沿って上下に貫通する挿通孔を有し、上部を角型の頭部とし、下部を円柱状の胴部とした工具主体を形成し、
前記工具主体の胴部外周部に、撤去せんとするスクリュー形の地中アンカーの、螺旋状の掘削刃の回転直径と同等以上の回転直径を有する螺旋状の掘削刃が一体的に付設されたものであること
を特徴とするものである。
【００１９】
また、この発明の請求項８に記載の発明は、
請求項５〜７のいずれかに記載の地中アンカーの撤去方法において、
前記掘削工具は、
前記角型の頭部に係合させたガイドパイプの回転と同時に回転するものであること
を特徴とするものである。
【００２０】
また、この発明の請求項９に記載の発明は、
請求項５〜８のいずれかに記載の地中アンカーの撤去方法において、
前記掘削工具は、
先端部が前記地中アンカーに到達した時点で回転を停止させ、支線杆の上端部を上方に引抜くことによって、地中アンカーと一緒に地中から撤去されること
を特徴とするものである。
【００２１】
また、この発明の請求項１０に記載の発明は、
地中に埋設され、地中アンカーとして用いられていたスクリュー形の地中アンカーを撤去する方法であって、
前記地中アンカーの螺旋状の掘削刃と同等以上の回転直径を有する、螺旋状の掘削刃を有する掘削工具を用い、
地表面に顕出する前記地中アンカーの支線杆の上端部から支線連結部材を取外し、
前記支線杆の上端部を、掘削工具に上下方向に貫通させて形成した挿通孔に係合させるとともに、掘削工具の頭部にガイドパイプの先端部を係合させ、
前記ガイドパイプを回転させ、前記支線杆をガイドとして前記掘削工具を回転下降させながら、掘削工具に設けられた螺旋状の掘削刃に付設された土切り板によって、前記支線杆周囲の固化した土壌を破砕したのち、
前記ガイドパイプと掘削工具を一緒に引抜き、ついで前記地中アンカーを引抜くか、前記ガイドパイプを引抜いたのち、前記地中アンカーを掘削工具と一緒に引抜くこと
を特徴とする地中アンカーの撤去方法である。
【発明の効果】
【００２２】
この発明にかかる地中アンカーの掘削工具は、モータなどによって回転する回転工具の端部と係合する、角型の頭部の下部に円柱状の胴部を連設して構成した工具主体の、軸部に沿って上下に貫通する挿通孔を形成するとともに、前記胴部に沿って掘削刃を螺旋状に付設し、上下に配置された各掘削刃の外周縁部下面に土切り刃を、前記掘削刃の外周部から突出させるようにして相対配置させている。
したがって、前記挿通孔に埋設されているスクリュー形の地中アンカーの支線杆を挿通させ、工具主体を前記支線杆に沿って回転させながら下降させれば、螺旋状に設けられた掘削刃と土切り刃とで、前記地中アンカーの支線杆周囲の固化した土壌を容易に破砕することができる。
【００２３】
特に、この地中アンカーの掘削工具は、工具主体の胴部に螺旋状に設ける掘削刃の回転直径を、埋設されているスクリュー形の地中アンカーの、螺旋状に設けられた掘削刃の回転直径と同等以上にすることによって、スクリュー形の地中アンカーを引抜くために必要な最小限度の範囲で土壌を容易に掘削することができる。
【００２４】
また、この掘削工具は、中心部にスクリュー形の地中アンカーの支線杆を挿通するための挿通孔を有する工具主体の胴部外周部に、回転直径が、埋設されたスクリュー形の地中アンカーの、螺旋状に設けられた掘削刃の回転直径よりも大きな掘削刃を胴部に沿って螺旋状に付設しているので、取り扱いが容易であるとともに、小形化できるので、小さな回転力で効率的に土壌を掘削することが可能なものである。
【００２５】
また、工具主体に付設する螺旋状の掘削刃の回転直径を、埋設されたスクリュー形の地中アンカーの、螺旋状に設けられた掘削刃の回転直径と同等以上とし、上下に配置された掘削刃の外周縁部下面に土切り刃を、前記掘削刃の外周部から突出させるようにして相対配置させることによって、埋設されたスクリュー形の地中アンカーを引抜くのに必要な最小限との掘削穴を確実に形成させることができる。
なものである。
【００２６】
さらに、この発明の地中アンカーの撤去方法は、埋設されたスクリュー形の地中アンカーにおける螺旋状の掘削刃と、同等以上の回転直径を有する螺旋状の掘削刃を有する掘削工具を用い、この掘削工具に支線杆を挿通させ、前記地中アンカーの支線杆をガイドとして回転させて下降させながら、前記支線杆周囲の固化した土壌を破砕したのち、地中アンカーを引抜くことができるので、埋設されたスクリュー形の地中アンカーをきわめて簡単かつ容易に撤去することができる。
【００２７】
特に、この発明においては、掘削工具は、埋設されている地中アンカーの支線杆に沿って回転しながら土壌を掘削するに際し、埋設されたスクリュー形の地中アンカーにおける螺旋状の掘削刃より大きな回転直径とすること、もしくは同等以上の回転直径を有する螺旋状の掘削刃の外周縁部下面に、前記外周縁部より突出させて土切り刃を設けることによって、埋設されている地中アンカーを引抜くのに必要な最小限度の土壌のみを掘削するので、撤去に要する作業の能率を大幅に向上させることができる。
【００２８】
また、使用する掘削工具は小型なものを使用することが可能なので、土壌掘削のための大型の機械を必要とせず、埋設されたスクリュー形の地中アンカーを撤去することが可能なものである。
さらに、支線杆が多少曲がっていても、支線杆の径と掘削工具の挿入孔の径にはガタがあるので、回転機械の押圧力によって、柔軟に押し下げ対応することができる。
【発明を実施するための最良の形態】
【００２９】
以下、この発明にかかる地中アンカーの掘削工具と、この掘削工具を使用した地中アンカーの撤去方法を、添付の図面に基づいて具体的に説明する。
なお、この発明の地中アンカーの掘削工具と、この掘削工具を使用した地中アンカーの撤去方法とは、以下に述べる実施例にのみ限定されるものではなく、その要旨を変更しない範囲内において種々改良を加えることができるものである。
【００３０】
図１は、この発明にかかる地中アンカーの掘削工具の一例を示す一部切欠き側面図、図２は同正面図、図３は平面図である。
図４は、従来のスクリュー形の地中アンカーの一例を示す説明図、図５は同平面図、図６は、この発明の地中アンカーの撤去方法を示す説明図、図７は使用状態の一例を示すための要部の説明図、図８は他の撤去方法を示す要部の説明図である。
【００３１】
この発明の地中アンカーの掘削工具１は、図１〜図３で示すように、角型の頭部２ａの下端部にフランジ２ｂを介して、円柱状の胴部２ｃを一体的に形成して掘削主体２とし、この掘削主体２の軸部に沿って、上下に貫通する挿通孔３を形成するとともに、前記胴部２ｃの外周部に土壌を掘削するための、掘削刃４を螺旋状に設けたものである。
【００３２】
前記掘削刃４は、前記胴部２ｃの外周部に沿って、螺旋状に一周させて胴部２ｃに一体的に付設したもので、その回転直径は、基本的に、引抜こうとするスクリュー形の地中アンカーにおける螺旋状の掘削刃の回転直径よりも大きくしたものである。
したがって、前記挿通孔３に、引抜こうとするスクリュー形の地中アンカーの支線杆を貫通させ、掘削刃４で支線杆周囲の土壌を掘削すると、引抜こうとするスクリュー形の地中アンカーの撤去に必要最小限の掘削穴を形成することができる。
【００３３】
また、螺旋状に付設する掘削刃４の回転直径は、引抜こうとするスクリュー形の地中アンカーにおける螺旋状の掘削刃の回転直径と同等以上とし、螺旋状に配された上方の掘削刃４ａと下方の掘削刃４ｂの下面外周部に、板状の土切り刃５を、それぞれ掘削刃４ａ，４ｂの外周縁部から突出させて相対配置、すなわち、図３に示すように、各掘削刃４ａ，４ｂを対称位置に配することによっても、前記と同様の効果を得ることができる。
【００３４】
その際、前記土切り刃５は板状体で形成されるもので、断面山型の取付金具６の開口縁６ａ，６ａに沿って、溶着などの手段によって固着されるものである。
なお、両者の係着を一層確実なものにするため、図３で明らかなように、前記土切り刃５の裏面中央部と取付金具６の開口部内、具体的には、頂部の内側とを帯状の補強板７で連結している。
また、図示の土切り刃５は、実施例においては、幅約６０ｍｍ×長さ約１００ｍｍ×厚さ約９ｍｍのものである。
【００３５】
前記螺旋状の掘削刃４の回転直径は、後述する、埋設されているスクリュー形の地中アンカーに付設されている螺旋状の掘削刃の回転直径と同等以上、より具体的には、スクリュー形に付設されている螺旋状の掘削刃の回転直径を２００ｍｍとすると、その回転直径よりも１０〜２０ｍｍ程度大きく設定するものである。
図示されている実施例では、螺旋状の掘削刃４の回転直径は２１０ｍｍ、前記相対配置された土切り刃５，５間の距離は約２２０ｍｍである。
なお、螺旋状の掘削刃４の回転直径を、埋設されているスクリュー形の地中アンカーにおける螺旋状の掘削刃１１ｄの回転直径よりも大きくしている場合には、土切り刃５は必ずしも必要としなくてもよい。
【００３６】
一方、埋設されているスクリュー形の地中アンカー１０は、図４および図５に示すように、角型の頭部１１ａの下部に連設された円柱状の胴部１１ｂの先端部をドリル部１１ｃとするとともに、前記ドリル部１１ｃと頭部１１ａの下端部との間に螺旋状に掘削刃１２を形成した掘削主体１１と、下端部が前記頭部１１ａの中心部上面から所要深さで形成された係合孔にネジ係合し、上端部に支線を連結させるための支線連結金具１３を着脱自在に装着する支線杆１２とからなるものである。
この図４における実施例では、掘削刃１２の回転直径は、実施例では約２００ｍｍ、支線杆１２の長さは約１３００ｍｍのものである。
【００３７】
なお、前記スクリュー形の地中アンカー１０の埋設に際しては、前記支線連結金具１３と支線杆１２の上端部は、少なくとも地表面から突出させて埋設されるものである。
また、前記公知のスクリュー形の地中アンカー１０は、支線杆１２を具備するタイプのものであれば、この発明にかかる掘削工具を使用できるので、具体的な構成は図示のものに限定されるものではない。
【００３８】
以下、かかる構成からなる掘削工具１を用いて、地中に埋設されているスクリュー形の地中アンカー１０の撤去方法を、図６および図７を引用して具体的に説明する。
【００３９】
図６において、図面右側の（ａ）に位置するのが、埋設されている引抜き対象のスクリュー形の地中アンカー１０で、支線杆１２の先端部と、支線連結金具１３は地表面ＧＬ上に顕出している。
【００４０】
ついで、図（ｂ）に示すように、引抜こうとする地中アンカー１０の支線連結金具１３を、支線杆１２から取外す。
なお、図６において、符号１４は、図示しないロータリマシン（回転機械）によって回転する、所要長さのガイドパイプである。
このガイドパイプ１４の先端部には、この発明の掘削工具１の頭部２ａを受入れることのできる係合部１４ａが、一体的に設けられたものである。
なお、このガイドパイプ１４は、必要に応じて、他のガイドパイプ（図示せず）を継ぎ足すことができるのである。
【００４１】
前記工程で支線杆１２から支線連結金具１３を取外したのち、支線杆１２の先端部を、掘削工具１に形成されている挿通孔３内に下方から挿入し、先端部を頭部２ａから突出させて、支線杆１２と掘削工具１とを係合させる。
【００４２】
しかるのち、図（ｃ）に示すように、前記ガイドパイプ１４の先端部に設けられた係合部１４ａを、掘削工具１の頭部２ａに外嵌させて、ガイドパイプ１４と掘削工具１とを一体化させる。
前記ガイドパイプ１４の先端部に形成される凹状の係合部１４ａは、その内周面が掘削工具１の頭部２ａの外形と一致する形状に形成されているので、両者は密着係合し、ガイドパイプ１４の回転がそのまま掘削工具１に伝えられる。
【００４３】
その際、掘削工具１とガイドパイプ１４との係合をより一層確実なものとするには、掘削工具１の頭部２ａにピン挿通孔２ｄを水平に形成し、かつガイドパイプ１４の係合部１４ａにも、前記ピン挿通孔２ｄに対応させてピン挿通孔１４ｂを形成し、両者をピンＰで結合させてもよい。
【００４４】
ついで、掘削工具１と連結したガイドパイプ１４の他端部をロータリマシンに連結し、ガイドパイプ１４を埋設された地中アンカー１０の方向に押圧しながらロータリマシンを作動させると、その回転がガイドパイプ１４を介して掘削工具１に伝わるので、掘削工具１の掘削刃４も回転し、図（ｄ）に示すように、同時に土切り刃５も回転して支線杆１２をガイドとしながら、支線杆１２周辺の固化した土壌を掘削し始める。
その際、図７に示すように、支線杆１２が多少曲がっていても、支線杆１２の径と掘削工具１の挿入孔３の径にはガタがあるので、回転機械の押圧力によって、柔軟に押し下げ対応することができる。
【００４５】
この掘削によって形成される掘削穴の径は、掘削工具１を構成する螺旋状の掘削刃４の回転直径が、埋設されている地中アンカー１０における螺旋状の掘削刃１１ｄの回転直径と同等以上で、かつ前記土切り刃５が掘削刃４の外周部より突出させて設けられているので、埋設されている地中アンカー１０を引抜くのに必要な大きさを有している。
【００４６】
前記支線杆１２をガイドとして回転下降しながら、支線杆１２周囲の土壌を掘削して掘り進んだ掘削工具１の胴部２ｃの先端部が、図（ｅ）に示すように、地中アンカー１０の頭部１１ａの頂部と当接すると、ロータリマシンの駆動を停止させ、掘削作業を終了させる。
【００４７】
かくして掘削工具１による地中アンカー１０の、支線杆１２周囲の土壌掘削作業が終了すると、ガイドパイプ１４を適宜手段で上方に引上げる。
その際、図示のように、掘削工具１とガイドパイプ１４とがピンＰで連結されている場合には、図（ｆ）に示されるように、ガイドパイプ１４の引抜きと同時に掘削工具１も一緒に支線杆１２に沿って上昇して、ガイドパイプ１４と同時に地中アンカー１０との係合が解消される。
【００４８】
ついて、図（ｇ）に示すように、支線杆１２の上端部に支線連結金具１３を再び連結させたのち、この支線連結金具１３にワイヤ（図示せず）などを係着させ、ウインチなどを使用してワイヤを引上げれば、掘削工具１によって支線杆１２の周囲に形成された掘削穴は、地中アンカー１０に付設された螺旋状の掘削刃１１ｄの回転直径よりも大きな径であるので、地中アンカー１２を地中から容易に引抜くことができるものである。
【００４９】
なお、掘削工具１とガイドパイプ１４とがピンＰで連結されていない場合には、図８の（ｈ）で示すように、ガイドパイプ１４を上方に持ち上げれば、掘削工具１とガイドパイプ１４との係合が解除されるので、同図（ｉ）に示すように、支線杆１２を上方に引上げることによって、掘削工具１と地中アンカー１０とを同時に引抜くことができるものである。
【００５０】
この発明にかかる地中アンカーの掘削工具は、地中に埋設され、地中アンカーとして使用されている、螺旋状の掘削刃を有するスクリュー形の地中アンカーを、前記地中アンカーに設けられている支線杆を利用して回転させながら下降させることができ、前記地中アンカーの螺旋状の掘削刃と同等以上の回転直径を有する螺旋状の掘削刃によって、あるいは前記螺旋状の掘削刃に土切り刃を、前記掘削刃の外周縁部から突出させて付設させることによって、埋設された地中アンカーの引き抜きに必要な最小限度の土壌のみを効果的に掘削することができるものである。
【００５１】
また、この発明の地中アンカーの撤去方法は、地中に埋設され、地中アンカーとして使用されているスクリュー形の地中アンカーを、引抜きに必要な必要な最小限度の土壌のみを効果的に掘削することができるので、引抜きのために大型の機械設備を必要とすることなく、効率的に不要となったスクリュー形の地中アンカーを簡単かつ容易に引抜くことができるものである。
【図面の簡単な説明】
【００５２】
【図１】この発明にかかる地中アンカーの掘削工具の一例を示す一部切欠き側面図である。
【図２】同正面図である。
【図３】同平面図である。
【図４】従来のスクリュー形の地中アンカーの一例を示す説明図である。
【図５】同平面図である。
【図６】この発明の地中アンカーの撤去方法を示す説明図である。
【図７】使用状態の一例を示すための拡大説明図である。
【図８】他の撤去方法を示す要部の説明図である。
【符号の説明】
【００５３】
１        掘削工具
２        工具主体
２ａ      工具主体の頭部
２ｃ      工具主体の胴部
３        挿通孔
４        掘削刃
４ａ      上方の掘削刃
４ｂ      下方の掘削刃
５        土切り刃
６        取付金具
７        補強板
１０      スクリュー形の地中アンカー
１１      掘削主体
１１ａ    掘削主体の頭部
１１ｂ    掘削主体の胴部
１１ｃ    ドリル部
１１ｄ    螺旋状の掘削刃
１２      支線杆
１３      支線連結金具
１４      ガイドパイプ
【図１】
0004984297.tif 000002
【図２】
0004984297.tif 000003
【図３】
0004984297.tif 000004
【図４】
0004984297.tif 000005
【図５】
0004984297.tif 000006
【図６】
0004984297.tif 000007
【図７】
0004984297.tif 000008
【図８】
0004984297.tif 000009